(57)【要約】【課題】外出時のコミュニケーション不良と安全性の問題を解決することにより、通話時のプライバシー保護をさらに強める、無線通信イヤホンシステム。【解決手段】この無線通信イヤホンシステムには複数の無線通信イヤホン装置と最低一つの中継器が含まれている。その中の無線通信イヤホン装置は制御シグナルを送信し、そのシグナルによって動作をコントロールし、さらに音声シグナルを送信し、中継器が通信範囲内で無線通信イヤホン装置へ制御シグナルを伝達し、音声シグナル号を伝達する。そして無線通信イヤホン装置間の連結を確立し、無線通信イヤホン装置の通話モードと通話チャンネルの交換をコントロールする機能、さらに中継器の移動時に合わせて通信範囲も移動する。【選択図】図1
0003163619.tif 000002
【実用新案登録請求の範囲】
【請求項１】
無線通信イヤホンシステムであって、
複数の無線通信イヤホン装置が制御シグナルを伝達し、そのシグナルによって制御動作を行い、音声シグナルを伝達し、さらに少なくとも一つの中継器を設け、通信範囲内において送信された制御シグナルを無線通信イヤホン装置へ伝達し、音声シグナルを伝達し、
中継器は制御シグナルを無線通信イヤホン装置への伝達、無線通信イヤホン装置間の連結の確立、及び無線通信イヤホン装置の通話モードや通話チャンネルの交換の機能を有し、中継器が移動を行ったとき、その通信範囲も中継器に沿って移動する、
無線通信イヤホンシステム。
【請求項２】
請求項１に記載の無線通信イヤホンシステムにおいて、無線通信イヤホン装置とその中継器間の無線通信において、802.11、802.15またはブルートゥース（登録商標）協定を使用する、無線通信イヤホンシステム。
【請求項３】
請求項１に記載の無線通信イヤホンシステムにおいて、その中継器の数量は複数設けることができ、中継器間において、相互に制御シグナルおよび音声シグナルを伝達でき、その通信範囲を拡大できる、無線通信イヤホンシステム。
【請求項４】
請求項１に記載の無線通信イヤホンシステムにおいて、その無線通信イヤホン装置には個別に特定番号や名称があり、その番号や名称が重複することがない、無線通信イヤホンシステム。
【請求項５】
請求項１に記載の無線通信イヤホンシステムにおいて、その無線通信イヤホン装置と通信機間の組み合わせや連結方式には守秘機能があり、特定のパスワードを使用することによって中継器間の組み合わせや連結の際にそのパスワードが一致しなければシグナルや通話を行うことができず、そのパスワードは使用者によって設定できる、無線通信イヤホンシステム。
【請求項６】
請求項１に記載の無線通信イヤホンシステムにおいて、無線通信イヤホン装置の通話モードは、でき、無線通信イヤホン中の二人がお互いに特定番号や名称を使うことによって通話を行うことができるモードである単信通話モード、
無線通信イヤホン中の一使用者同時に無線通信イヤホン中の複数の使用者と通話を行うことができるモードである複信通話モード、及び、
―グループ通話モード、これは中継器の通信範囲内において、無線通信イヤホン一機から他のすべての無線通信イヤホンへ通話することができるグループ通話モード、のいずれかの通話モードを選択できる、無線通信イヤホンシステム。
【請求項７】
請求項１に記載の無線通信イヤホンシステムにおいて、その無線通信イヤホンには制御シグナルを発信して通話モードの切り替えをしたり特定通話番号や名称を選択して通話を行う機能がある、無線通信イヤホンシステム。
【請求項８】
請求項１に記載の無線通信イヤホンシステムにおいて、その無線通信イヤホンには
制御シグナルを発信し、通話モードの切り替えを行う、第一処理ユニット、
第一処理ユニットと連結し、第一アンテナを経由して音声シグナルと制御シグナルを発信する、第一送受ユニット
第一処理ユニットと連結し、すでに保存されている特定番号や名称からリストを作成する、第一記憶ユニット
第一処理ユニットと連結し、図や文字を表示する、第一表示ユニット、
第一処理ユニットと連結し、音声シグナルを音声へ転換し、音声として伝達する、音源出力ユニット、及び、
ユニット、第一処理ユニットと連結し、複数の第一キーから成り立っており、使用者に操作を提供する、第一入力ユニットを含む、無線通信イヤホンシステム。
【請求項９】
請求項１に記載の無線通信イヤホンシステムにおいて、その中継器には、
通話モードの切り替え処理やチャンネルの設置、そして特定番号や名称によって連結およびシステムの設定を行うことができる、第二処理ユニット、
第二アンテナを経由し、音声シグナルと制御シグナルを伝達する、第二送受ユニット、
すでに保存されている特定番号や名称からリストを作成する、第二記憶ユニット、
図や文字を表示する、第二表示ユニット、及び、
複数の第一キーから成り立っており、使用者に操作を提供する、第二入力ユニット、を含む、無線通信イヤホンシステム。
【考案の詳細な説明】
【技術分野】
【０００１】
本件の無線通信イヤホンに関する創作点は複数のイヤホンと中継器を合わせて利用することにより、異なった通話モードで使用する無線通信イヤホンシステムを切り替えることができる点である。
【背景技術】
【０００２】
現在使われているブルートゥース（登録商標）や無線シグナルイヤホンにはイヤホン同士の通話機能が無く、主要装置を通さなければ音をイヤホンへ伝えることができない。現在の無線電はアナログ転送方式を採用しており、安全性における懸念や、チャンネルも侵入されやすいなど、安全性と保護性が低い。
【０００３】
現在の無線トランシーバーはチャンネルの違いによって、使用者を分けており、シグナルの範囲内において、同じチャンネル内にほかの使用者が入ってくるなどの現象が頻繁に発生し、通話の混乱を招いている。つまり現在のトランシーバーには通話モード切替機能が搭載されていない。
【０００４】
特に自転車やオートバイや団体で外出し活動するとき、常に安全面を考慮しなければならない。一般的に遊んでいるときや、自転車やオートバイ上でおしゃべりするときにも注意しなければならない。前方で何か発生したとき、視線が前方を向いていないと衝突する危険があるので、大声で話をしたり、プライバシーに関する注意が必要になる。
【０００５】
本件の創作点は上記の従来システムの欠点を踏まえ、改良を重ね、努力と探求精神のある研究の後、完成させたのが本件の無線通信イヤホンシステムである。
【考案の概要】
【考案が解決しようとする課題】
【０００６】
上記の技術面問題との関わりで、本件創作は無線通信イヤホンシステムの提供を目的としており、外出時のコミュニケーション不良と安全性の問題を解決することにより、通話時のプライバシー保護をさらに強める。
【課題を解決するための手段】
【０００７】
創作目的により、無線通信イヤホンには複数の無線通信イヤホン装置と最低一つの中継器が含まれている。無線通信イヤホン装置は制御シグナルを送信し、そのシグナルによって動作をコントロールし、さらに音声シグナルを送信し、中継器が通信範囲内で無線通信イヤホン装置へ制御シグナルを伝達し、音声シグナルを伝達する。この通信機には無線通信イヤホン装置間の連結を確立し、無線通信イヤホン装置の通話モードと通話チャンネルの交換をコントロールする機能があり、さらに中継器の移動時に合わせて通信範囲も移動する。
【０００８】
無線通信イヤホン装置と中継器との無線通信は音声シグナルと制御シグナルを利用し、802.11、802.15またはブルートゥース（Bluetooth）通信協定を使用する。
【０００９】
中継器の数量は複数可能で、通信機間の制御シグナルと音声シグナルの相互伝達が可能で、通信範囲がより拡大する。
【００１０】
無線通信イヤホン装置にはそれぞれ特定の番号や名称（記号や文字も可）があり、それぞれの特定番号や名称が重複することがない。
【００１１】
無線通信イヤホンと通信機との組み合わせ方式に守秘機能があり、特定のパスワードを使用することにより、通話時におけるシグナルの使用を制限でき、使用者によってパスワードを設定することができる。
【００１２】
無線通信イヤホンと中継器との組み合わせ方式は通信機間の連結において、公開機能があり、特定のパスワードを使用しなくても通信機を増加させたり、シグナルを自由に組み合わせて使用することができる。
【００１３】
無線通信イヤホン装置の通話モードには単信通話モードと複信通話モード、そしてグループ通話モードがある。単信通話モードでは、無線通信イヤホン中の二人がお互いに特定の番号や名称（記号や文字も可）を使って通話することができる。複信通話モードでは、無線通信イヤホンの使用者一人が同時に無線通信イヤホンの多数の使用者と通話をすることができる。グループ通話モードでは、中継器の通信範囲内において無線通信イヤホンを通じて、その他の無線通信イヤホンすべてと連結することができる。
【００１４】
さらに無線通信イヤホンには制御シグナルによって通話モードの切り替えを要求したり特定の通話番号を選択して通話する機能がある。
【００１５】
無線通信イヤホンには第一処理ユニットユニット、第一送受ユニットユニット、第一記憶ユニットユニット、第一表示ユニットユニット、音源出力ユニットユニットと第一入力ユニットユニットが含まれている。第一処理ユニットユニットは制御シグナルを発し、通話モードの切り替えを行う。第一送受ユニットユニットは第一処理ユニットユニットと連結し、第一アンテナを経由して音声シグナルと制御シグナルを伝達する。第一記憶ユニットユニットは第一処理ユニットユニットと連結し、すでに保存されている特定番号や名称（記号や文字も可）を使ってリストを構成する。第一表示ユニットユニットは第一処理ユニットユニットと連結して、図や文字を表示する。音源出力ユニットユニットは第一処理ユニットユニットと連結して、音声シグナルを音声へ転換させ、音声を出力する。第一入力ユニットユニットは第一処理ユニットユニットと連結して、複数の第一キーから成っており、使用者に操作を提供する。
【００１６】
中継器には第二処理ユニットユニット、第二送受ユニットユニット、第二記憶ユニットユニット、第二表示ユニットユニットと第二出力ユニットが含まれている。第二処理ユニットは通話モードの切り替えや周波数帯の設置、そして特定番号や名称（記号や文字も可）によって連結およびシステム設定を行う。第二送受ユニットは第二アンテナを経由して音声シグナルと制御シグナルを伝達する。第二記憶ユニットはすでに保存されている特定番号や名称（記号や文字も可）を使ってリストを構成する。第二表示ユニットは図や文字を表示する。第二出力ユニットは複数のキーから成っており、使用者に操作を提供する。
【考案の効果】
【００１７】
上記の内容に基づき、本製品の無線通信イヤホンシステムには下記のメリットがある。
【００１８】
展覧会会場での使用や、サイクリングなどの集団行動における連絡手段に適しており、またグループ通話モードや複信通話モードや単信通話モードなどの多彩な機能を使用できる。
【００１９】
自転車やオートバイクを運転中におけるコミュニケーション時の危険を減少することができ、団体で外出するときに、メンバーとの連絡や位置確認などに適している。
【００２０】
中継器の数量を増やしたとき、通信範囲を拡大することができ、応用範囲もそれに伴い拡大することができる。
【００２１】
実際に使用する環境によってイヤホンの数量を設定することができ、イヤホンまたは中継器によって中継機能を決定することができる。
【図面の簡単な説明】
【００２２】
【図１】無線通信イヤホンシステムにおける無線通信イヤホン構造図
【図２】無線通信イヤホンシステムにおける中継器の構造図
【図３】無線通信イヤホンシステムにおけるシステム構造図
【図４】無線通信イヤホンシステムにおける実施例図
【考案を実施するための形態】
【００２３】
[実施例]
図1を参照する。本製品の無線通信イヤホンシステムにおける無線通信イヤホン構造は図のとおりである。図中の無線通信イヤホン1には第一処理ユニット11、第一送受ユニット12、第一記憶ユニット13、第一表示ユニット14、音源出力ユニット15および第一入力ユニット16が含まれている。第一処理ユニット11は制御シグナルを発し、通話モードの切り替えを行い、小型のCPUから成っている。第一送受ユニット12は第一処理ユニット11と連結し、第一アンテナ121を経由して音声シグナルと制御シグナルの伝達を行い、802.11、802.15またはブルートゥース通信協定を採用している。第一記憶ユニット13は第一処理ユニット11と連結し、すでに保存されている特定番号や名称（記号や文字も可）を元にリストを構成し、ほかの使用者の無線通信イヤホン1と連結して使われる。第一表示ユニット14は第一処理ユニット11と連結し、図と文字の表示を行い、液晶モニターに表示される。音源出力ユニット15は第一処理ユニット11と連結し、音声シグナルを音声へ転換、そして出力を行い、一般的に使用されるスピーカーや拡声器から成っている。第一入力ユニット16は第一処理ユニットと連結し、キーによって構成され、タッチパネル形式などで使用者が操作できるようになっている。
【００２４】
図2を参照する。本製品の無線通信イヤホンシステムにおける中継器の構造は図のとおりである。図中の中継器2には第二処理ユニット21、第二送受ユニット22、第二記憶ユニット23、第二表示ユニット24および第二入力ユニット25が含まれている。第二処理ユニット21は通話モードの切り替え処理やチャンネルの設置、そして特定番号や名称（記号や文字も可）によって連結およびシステム設定を行い、小型のCPUから成っている。第二送受ユニット22は第二アンテナ221を経由し、音声シグナルと制御シグナルを伝達する。第二記憶ユニット23はすでに保存されている特定番号や名称（記号や文字も可）を元にリストを構成し、すべての無線通信イヤホン装置の特定番号を保存できる。第二表示ユニット24は図と文字の表示を行う。第二入力ユニット25はキーによって構成され、タッチパネル形式などで使用者が操作できるようになっている。
【００２５】
図3を参照する。本製品の無線通信イヤホンシステムにおけるシステム構造は図のとおりである。図中の中継器31の周りには複数の無線通信イヤホン装置321〜327が設けられ、図中のように7個に分けられ表示されているが、実際にはこの制限はない。中継器31が発するシグナルの通信範囲33は戸外1000mの距離にまで達し、さらに中継器31の受信感度は13dB以下に沿っており、人体に対して無害で、無線通信イヤホン装置321〜327の受信感度も同様になっている。すべての無線通信イヤホン装置321〜327の通話には通話モード、変数設定およびシステム設定が含まれており、中継器31によって設定をすることができる。なお、範囲内の無線通信イヤホン装置321〜327の特定番号や名称は各無線通信イヤホン装置321〜327および中継器31の記憶ユニット内に保存される。
【００２６】
図4を参照する。本製品の無線通信イヤホンシステムにおける実施例は図のとおりである。図中の中継器411と通信機412はお互いに包み込んでおり、中継器411が発する通信範囲431と中継器412が発する通信範囲432は共に802.11、802.15またはブルートゥース通信協定に基づいている。であるから、中継器411と中継器412はお互いに接続でき、両者が及ぶ通信範囲のすべての無線通信イヤホン装置421〜426はお互いに通信しあうことができる。この実施例中の無線通信イヤホン装置の数量は6つを例に挙げているが、実際にはこれが限界ではない。無線通信イヤホン装置421〜426間の通信は無線通信イヤホン装置421〜426の個別特定番号や名称（記号や文字も可）によって行う。無線通信イヤホン装置421が無線通信イヤホン装置422と通信を取りたい場合、使用者は先に無線通信イヤホン装置421上のキーを使い、無線通信イヤホン装置421上の表示ユニットを直接入力することで通信を行うことができる。例えば、無線通信イヤホン装置421が中継器411に所属し、制御されている場合、制御シグナルを中継器411に送信し、それから中継器411を経由して無線通信イヤホン装置422に連結する。この時、無線通信イヤホン装置422はブザーまたは電気信号（LEDなどの発光元）を用いて、無線通信イヤホン装置422の使用者に通知し、通話を行うことができる。無線通信イヤホン装置422の使用者は通話ボタンを押すだけで通話ができる。
【００２７】
再び図4を参照する。使用者は通話モードの切り替えを利用することで、異なった性質の通話を行うことができる。選択できる通話モードには単信通話モード、複信通話モードおよびグループ通話モードが含まれており、単信通話モードは上記の説明のとおりである。複信通話モードでは通話をしたい多数の無線通信イヤホン装置の特定番号や名称（記号や文字も可）を選択することができる。例えば、無線通信イヤホン装置421の使用者が無線通信イヤホン装置422および無線通信イヤホン装置423の特定番号や名称（記号や文字も可）を選び、通話請求を送信後、無線通信イヤホン装置422および無線通信イヤホン装置423のブザーまたは電気信号が作動し、応答を待った後多数との通話を行うことができる。グループ通話モードは無線通信イヤホン装置422の使用者がすべての範囲内の無線通信イヤホン装置421、423、424、425および426に向けて放送でき、無線通信イヤホン装置422によって放送機能を選択することができ、この時、無線通信イヤホン装置421、423、424、425および426すべてと連結して音声を送信することができる。
【符号の説明】
【００２８】
1      無線通信イヤホン
11      第一処理ユニット
12      第一送受ユニット
121    第一アンテナ
13      第一記憶ユニット
14      第一表示ユニット
15      音源出力ユニット
16      第一入力ユニット
2      中継器
21      第二処理ユニット
22      第二送受ユニット
221    第二アンテナ
23      第二記憶ユニット
24      第二表示ユニット
25      第二入力ユニット
31      中継器
321〜327  無線通信イヤホン装置
33      通信範囲
411    中継器
412    中継器
421〜426  無線通信イヤホン装置
431    通信範囲
432    通信範囲
【図１】
0003163619.tif 000003
【図２】
0003163619.tif 000004
【図３】
0003163619.tif 000005
【図４】
0003163619.tif 000006